(57)【要約】  本明細書に開示された表示装置は、外縁、孔を含み前記外縁から外側に突出した第１係合部、を含む表示機と、内縁、前記内縁から内側に突出し前記第１係合部に係合する第２係合部を含み、前記第１及び第２係合部が係合して前記表示機に組み付けられたカバーと、を備えている。
2014020697.tif 000002
【特許請求の範囲】
【請求項１】
外縁、孔を含み前記外縁から外側に突出した第１係合部、を含む表示機と、
内縁、前記内縁から内側に突出し前記第１係合部に係合する第２係合部を含み、前記第１及び第２係合部が係合して前記表示機に組み付けられたカバーと、
を備えた表示装置。
【請求項２】
前記第１係合部は、前記外縁から外側に突出した第１及び第２支持部、前記第１及び第２支持部間に位置して前記第１及び第２支持部よりも外側に突出し前記第２係合部に当接する当接部、を含み、
前記孔は、前記当接部に対向している、請求項１の表示装置。
【請求項３】
前記第２係合部は、前記内縁との間で空間を囲む半リング状のリブである、請求項１又は２の表示装置。
【請求項４】
前記第２係合部は、前記当接部に当接する凹部を含む、請求項３の表示装置。
【請求項５】
前記孔、前記当接部、前記凹部、及び前記空間は、一方向に並んでいる、請求項４の表示装置。
【発明の詳細な説明】
【技術分野】
【０００１】
本発明は、表示装置に関する。
【背景技術】
【０００２】
一般的に、表示機にはカバーが取り付けられている。例えば、カバーの内面にはリブが設けられ、表示機の外縁とリブとが当接してカバーが表示機に組み付けられる。特許文献１〜４には表示装置に関する技術が開示されている。
【先行技術文献】
【特許文献】
【０００３】
【特許文献１】特開２００３‐１１１９２２号公報
【特許文献２】特開２００４‐２５２２５１号公報
【特許文献３】特開２００６‐２５８８８７号公報
【特許文献４】特開２００９‐３３２７３号公報
【発明の概要】
【発明が解決しようとする課題】
【０００４】
表示装置に外部からの衝撃が加わった場合、カバーと表示機に衝撃が加わる。これにより、カバーや表示機に悪影響を与えるおそれがある。【０００５】
本発明は、耐衝撃性が向上した表示装置を提供することを目的とする。
【課題を解決するための手段】
【０００６】
本明細書に開示された表示装置は、外縁、孔を含み前記外縁から外側に突出した第１係合部、を含む表示機と、内縁、前記内縁から内側に突出し前記第１係合部に係合する第２係合部を含み、前記第１及び第２係合部が係合して前記表示機に組み付けられたカバーと、を備えている。
【発明の効果】
【０００７】
耐衝撃性が向上した表示装置を提供することを目的とする。
【図面の簡単な説明】
【０００８】
【図１】図１は、本実施例のノート型コンピュータの説明図である。
【図２】図２は、筐体の正面図である。
【図３】図３は、筐体の分解斜視図である。
【図４】図４は、リアカバーの縁周辺の拡大図である。
【図５】図５Ａ〜５Ｃは、リブの説明図である。
【図６】図６は、ディスプレイの縁周辺の拡大図である。
【図７】図７Ａ〜７Ｃは、突起の説明図である。
【図８】図８Ａ、８Ｂは、ディスプレイにリアカバーが組み付けられた状態での部分拡大図である。
【図９】図９Ａは、リブ、突起の拡大図であり、図９Ｂは、図９ＡのＡ−Ａ断面図である。
【図１０】図１０Ａ、１０Ｂは、リブ、突起の拡大図である。
【発明を実施するための形態】
【０００９】
ノート型コンピュータを表示装置の一例として説明する。図１は、本実施例のノート型コンピュータ１の説明図である。ノート型コンピュータ１は、筐体１０、２０を有している。筐体１０、２０は、ヒンジにより開閉可能に連結されている。筐体１０、２０はそれぞれ第１及び第２筐体の一例である。筐体１０は、上面１１、上面１１と対向し後述する底面、を含む。筐体１０は、略矩形状であり、辺１３〜１６を含む。辺１３、１４は対向し平行である。辺１５、１６は対向し平行である。辺１３、１４のそれぞれは、辺１５、１６のそれぞれに直交する。各辺１３、１４は、各辺１５、１６よりも長い。
【００１０】
筐体１０の上面１１には、ノート型コンピュータ１を操作するためのキーボードＫＢ、タッチパッドＴが設けられている。筐体１０内には、ノート型コンピュータ１の動作全体を制御するためのマザーボードが収納されている。
【００１１】
図２は、筐体２０の正面図である。筐体２０は、正面２１、正面２１と対向する背面を含む。筐体２０は、画像を表示可能なディスプレイ５０を保持している。ディスプレイ５０は、表示機の一例である。表示機としては、画像を表示可能なタッチパネルであってもよい。正面２１ではディスプレイ５０の画面ＤＰが露出している。筐体２０は、略矩形状であり、辺２３〜２６を含む。辺２３、２４は対向し平行である。辺２５、２６は対向し平行である。辺２３、２４のそれぞれは、辺２５、２６のそれぞれに直交する。各辺２３、２４は、各辺２５、２６よりも長い。
【００１２】
図３は、筐体２０の分解斜視図である。筐体２０は、額縁３０、リアカバー４０、ディスプレイ５０を含む。リアカバー４０は、ディスプレイ５０の背面側に固定される。リアカバー４０は主に金属製である。額縁３０は、リアカバー４０の正面側に固定される。リアカバー４０は、表示機に組み付けられたカバーの一例である。額縁３０は合成樹脂製である。額縁３０は、縁３３〜３６を含む。リアカバー４０は、縁４３〜４６を含む。ディスプレイ５０は、縁５３〜５６を含む。縁３３、４３、５３は、辺２３に対応し、縁３４、４４、５４は、辺２４に対応し、縁３５、４５、５５は、辺２５に対応し、縁３６、４６、５６は、辺２６に対応する。ディスプレイ５０の縁５５、５６は、外縁の一例である。リアカバー４０の縁４５、４６は、内縁の一例である。
【００１３】
図４は、リアカバー４０の縁４５周辺の拡大図である。縁４５の内面には、複数のリブ４７ａ〜４７ｃが形成されている。リブ４７ａ〜４７ｃは、縁４３側から縁４４側へ順に所定の間隔をおいて形成され、縁４５の内面からリアカバー４０の内側に突出している。また、縁４５には、複数の突片Ｋが設けられている。突片Ｋは額縁３０に係合して額縁３０はリアカバー４０に組み付けられる。リブ４７ａ〜４７ｃは、詳しくは後述するがディスプレイ５０と係合する。同様に、縁４６の内側には、複数のリブ４８ａ〜４８ｃが形成されている。リブ４７ａ〜４７ｃ、４８ａ〜４８ｃは、第１係合部に係合する第２係合部の一例である。
【００１４】
図５Ａ〜５Ｃは、リブ４７ａ〜４７ｃの説明図である。図５Ａに示すように、リブ４７ａは、略半リング状である。換言すればリブ４７ａは、略Ｕ字状又は略Ｃ字状である。リブ４７ａは、縁４５の内面との間で空間４７ａ８を画定している。リブ４７ａも金属製である。リブ４７ａの厚みは、ある程度弾性変形が可能な程度に薄い。リブ４７ａには連続して突片Ｋ４７ａが形成されている。突片Ｋ４７ａは、額縁３０と係合する。リブ４７ａの外側には、縁４５の長手方向に延びた溝部４７ａ５が形成されている。また、溝部４７ａ５の上側には、傾斜した案内面４７ａ６が形成されている。
【００１５】
同様に、図５Ｂに示すように、リブ４７ｂは、縁４５の内面との間で空間４７ｂ８を画定し、溝部４７ｂ５、案内面４７ｂ６が形成されている。リブ４７ｂは、リブ４７ａよりも小型である。図５Ｃに示すように、リブ４７ｃは、縁４５の内面との間で空間４７ｃ８を画定し、外側に溝部４７ｃ５、案内面４７ｃ６が形成されている。また、リブ４７ｃには突片Ｋ４７ｃが連続して形成されている。溝部４７ａ５、４７ｂ５、４７ｃ５は、当接部に当接する凹部の一例である。尚、後述する溝部４８ａ５、４８ｂ５、４８ｃ５も凹部の一例である。
【００１６】
図６は、ディスプレイ５０の縁５６周辺の拡大図である。縁５６の外側には、複数の突起５８ａ〜５８ｃが形成されている。突起５８ａ〜５８ｃは、縁５３側から縁５４側へ順に所定の間隔をおいて形成され、縁５６の外側に突出している。突起５８ａ〜５８ｃは、合成樹脂製である。同様に、縁５５の内側には、複数の突起５７ａ〜５７ｃが形成されている。突起５７ａ〜５７ｃ、５８ａ〜５８ｃは、第１係合部の一例である。
【００１７】
図７Ａ〜７Ｃは、突起５８ａ〜５８ｃの説明図である。図７Ａに示すように、突起５８ａは、縁５６の外側に突出している。突起５８ａは、画面ＤＰの面方向に突出している。突起５８ａは、ディスプレイ５０の正面から見た場合に縁５６の延びた方向に長い略矩形状である。突起５８ａには、縁５６の長手方向に沿うように延びた長孔状の貫通孔５８ａ８が形成されている。突起５８ａは、支持部５８ａ２、５８ａ３、突部５８ａ５を含む。支持部５８ａ２、５８ａ３は、縁５６の外側に突出している。突部５８ａ５は、支持部５８ａ２、５８ａ３の間に位置して連続している。突部５８ａ５の先端は、支持部５８ａ２、５８ａ３よりも外側に突出している。貫通孔５８ａ８は、突部５８ａ５に対向した位置に形成されている。突部５８ａ５は、画面ＤＰに垂直な方向に突起５８ａを貫通している。支持部５８ａ２、５８ａ３には孔は形成されていない。突部５８ａ５は、上側は水平に形成されている。突起５８ａの下側には傾斜した案内面５８ａ６が形成されている。
【００１８】
同様に、図７Ｂに示すように、突起５８ｂは、支持部５８ｂ２、５８ｂ３、突部５８ｂ５、案内面５８ｂ６、貫通孔５８ｂ８、を含む。図７Ｃに示すように、突起５８ｃは、支持部５８ｃ２、５８ｃ３、突部５８ｃ５、案内面５８ｃ６、貫通孔５８ｃ８、を含む。貫通孔５８ａ８〜５８ｃ８は、孔の一例である。突部５８ａ５、５８ｂ５、５８ｃ５は、当接部の一例である。支持部５８ａ２、５８ａ３、支持部５８ｂ２、５８ｂ３、支持部５８ｃ２、５８ｃ３は、それぞれ第１及び第２支持部の一例である。尚、突起５７ａ〜５７ｃも突起５８ａ〜５８ｃと同様の構造を有している。
【００１９】
図８Ａ、８Ｂは、ディスプレイ５０にリアカバー４０が組み付けられた状態での部分拡大図である。図８Ａは、縁４５、５５側を示しており、図８Ｂは、縁４６、５６側を示している。リブ４７ａ〜４７ｃは、それぞれ突起５７ａ〜５７ｃと係合している。リブ４８ａ〜４８ｃは、それぞれ突起５８ａ〜５８ｃと係合している。突起５７ａ〜５７ｃは、それぞれ突起５８ａ〜５８ｃと同様の構造を有している。リブ４８ａ〜４８ｃは、それぞれリブ４７ａ〜４７ｃと同様の構造を有している。
【００２０】
図９Ａは、リブ４８ｂ、突起５８ｂの拡大図である。図９Ｂは、図９ＡのＡ−Ａ断面図である。図９Ａ、９Ｂに示すように、突部５８ｂ５が溝部４８ｂ５に挿入されてリブ４８ｂ、突起５８ｂは係合している。貫通孔５８ｂ８、突部５８ｂ５、溝部４８ｂ５、空間４８ｂ８が一方向に並ぶようにしてリブ４８ｂ、突起５８ｂが係合している。一方向とは、縁５６の長手方向に垂直であり、ディスプレイ５０の画面ＤＰの平面に含まれる方向である。孔が形成されていない支持部５８ｂ２、５８ｂ３は、リブ４８ｂとは当接していない。支持部５８ｂ２、５８ｂ３は、突部５８ｂ５を支持している。
【００２１】
突起５８ｂには貫通孔５８ｂ８が形成されているため、貫通孔５８ｂ８が潰れるようにして突起５８ｂの弾性変形が容易となる。これにより、例えばリアカバー４０に外部から衝撃が加わった場合、貫通孔５８ｂ８周辺の部分や突部５８ｂ５が弾性変形して衝撃を吸収できる。また、リブ４８ｂは半リング状である。このため、空間４８ｂ８が潰れるようにリブ４８ｂは弾性変形が容易となる。これにより、リブ４８ｂは外部からの衝撃を吸収できる。以上により、筐体２０は耐衝撃性が向上しており、外部からの衝撃に起因した破損等が防止される。
【００２２】
また、リアカバー４０をディスプレイ５０に組付ける際には、リブ４８ｂの案内面４８ｂ６と突起５８ｂの案内面５８ｂ６が互いに摺接して貫通孔５８ｂ８が潰れるように弾性変形し、案内面４８ｂ６と案内面５８ｂ６とが離脱して突部５８ｂ５が溝部４８ｂ５に挿入される。このようにしてリブ４８ｂ、突起５８ｂが係合する。このように、案内面４８ｂ６、５８ｂ６は、リブ４８ｂ、突起５８ｂの係合を補助する。
【００２３】
図１０Ａは、リブ４８ａ、突起５８ａの拡大図である。図１０Ｂは、リブ４８ｃ、突起５８ｃの拡大図である。図１０Ａ、１０Ｂに示すように、突部５８ａ５、５８ｃ５もそれぞれ溝部４８ａ５、４８ｃ５に挿入されて、リブ４８ａ、突起５８ａは係合し、リブ４８ｃ、突起５８ｃは係合している。貫通孔５８ａ８と空間４８ａ８とは対向し、貫通孔５８ａ８、突部５８ａ５、溝部４８ａ５、空間４８ａ８は一方向に並ぶ。同様に、貫通孔５８ｃ８と空間４８ｃ８とは対向し、貫通孔５８ｃ８、突部５８ｃ５、溝部４８ｃ５、空間４８ｃ８は一方向に並ぶ。これにより、本実施例の筐体２０は、耐衝撃性が向上している。尚、リブ４８ａ、４８ｃは、それぞれ案内面４８ａ６、４８ｃ６が形成され、それぞれ額縁３０と係合する突片Ｋ４８ａ、Ｋ４８ｃが形成されている。
【００２４】
また、縁４６に設けられたリブ４８ａ〜４８ｃがそれぞれ縁５６に設けられた突起５８ａ〜５８ｃに係合することにより、縁５６に対する縁４６の歪みなども防止される。同様に、縁４５に設けられたリブ４７ａ〜４７ｃがそれぞれ縁５５に設けられた突起５７ａ〜５７ｃに係合することにより、縁５５に対する縁４５の歪みなども防止される。
【００２５】
本実施例では、表示装置の一例としてノート型コンピュータ１を説明した。表示装置は、例えば、デスクトップ型のコンピュータに用いられるモニタ、コンピュータが内蔵されたモニタ、テレビ、オーディオ、その他の家電製品であってもよい。また、表示装置は、携帯可能なものであってもよく、例えばタブレット型コンピュータ、携帯電話、携帯テレビ、電子辞書、ＰＤＡ、ゲーム機、カメラ、音楽プレイヤー、ナビゲーション装置等である。
【００２６】
本実施例では、リアカバー４０とディスプレイ５０との係合について説明したがこれに限定されない。例えば、ディスプレイ５０の正面側に配置される額縁とディスプレイとの係合に関して、上述した第１及び第２係合部を採用してもよい。
【００２７】
尚、リアカバー４０の縁４３や縁４４にリブを設けてもよい。また、ディスプレイ５０の縁５３や縁５４に突起を設けてもよい。
【００２８】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００２９】
１  ノート型コンピュータ（表示装置）
４０  リアカバー（カバー）
４５、４６  縁（内縁）
４７ａ〜４７ｃ、４８ａ〜４８ｃ  リブ（第２係合部）
４７ａ５〜４７ｃ５、４８ａ５〜４８ｃ５  溝部（凹部）
４７ａ６〜４７ｃ６、４８ａ６〜４８ｃ６  案内面
４７ａ８〜４７ｃ８、４８ａ８〜４８ｃ８  空間
５０  ディスプレイ（表示機）
５５、５６  縁（外縁）
５７ａ〜５７ｃ、５８ａ〜５８ｃ  突起（第１係合部）
５８ａ２〜５８ｃ２、５８ａ３〜５８ｃ３  支持部（第１及び第２支持部）
５８ａ５〜５８ｃ５  突部（当接部）
５８ａ６〜５８ｃ６  案内面
５８ａ８〜５８ｃ８  貫通孔（孔）
【図１】
2014020697.tif 000003
【図２】
2014020697.tif 000004
【図３】
2014020697.tif 000005
【図４】
2014020697.tif 000006
【図５】
2014020697.tif 000007
【図６】
2014020697.tif 000008
【図７】
2014020697.tif 000009
【図８】
2014020697.tif 000010
【図９】
2014020697.tif 000011
【図１０】
2014020697.tif 000012
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
外縁、孔を含み前記外縁から外側に突出した第１係合部、を含む表示機と、
内縁、前記内縁から内側に突出し前記第１係合部に係合する第２係合部を含み、前記第１及び第２係合部が係合して前記表示機に組み付けられたカバーと、
を備え、
前記第２係合部は、前記内縁との間で空間を囲む半リング状のリブである、表示装置。
【請求項２】
前記第１係合部は、前記外縁から外側に突出した第１及び第２支持部、前記第１及び第２支持部間に位置して前記第１及び第２支持部よりも外側に突出し前記第２係合部に当接する当接部、を含み、
前記孔は、前記当接部に対向している、請求項１の表示装置。
【請求項３】
前記第２係合部は、前記当接部に当接する凹部を含む、請求項２の表示装置。
【請求項４】
前記孔、前記当接部、前記凹部、及び前記空間は、一方向に並んでいる、請求項３の表示装置。
【手続補正２】
【補正対象書類名】明細書
【補正対象項目名】０００６
【補正方法】変更
【補正の内容】
【０００６】
本明細書に開示された表示装置は、外縁、孔を含み前記外縁から外側に突出した第１係合部、を含む表示機と、内縁、前記内縁から内側に突出し前記第１係合部に係合する第２係合部を含み、前記第１及び第２係合部が係合して前記表示機に組み付けられたカバーと、を備え、前記第２係合部は、前記内縁との間で空間を囲む半リング状のリブである。
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
外縁、孔を含み前記外縁から外側に突出した第１係合部、を含む表示機と、
内縁、前記内縁から内側に突出し前記第１係合部に係合する第２係合部を含み、前記第１及び第２係合部が係合して前記表示機に組み付けられたカバーと、
を備え、
前記第２係合部は、前記内縁との間で空間を囲む半リング状のリブであり、
前記第１係合部は、前記第２係合部に当接する当接部を含み、
前記孔、前記当接部、及び前記空間は、一方向に並んでいる、表示装置。
【請求項２】
前記第１係合部は、前記外縁から外側に突出した第１及び第２支持部、前記第１及び第２支持部間に位置して前記第１及び第２支持部よりも外側に突出し前記第２係合部に当接する前記当接部、を含み、
前記孔は、前記当接部に対向している、請求項１の表示装置。
【請求項３】
前記第２係合部は、前記当接部に当接する凹部を含む、請求項２の表示装置。
【請求項４】
前記孔、前記当接部、前記凹部、及び前記空間は、一方向に並んでいる、請求項３の表示装置。
【手続補正２】
【補正対象書類名】明細書
【補正対象項目名】０００６
【補正方法】変更
【補正の内容】
【０００６】
本明細書に開示された表示装置は、外縁、孔を含み前記外縁から外側に突出した第１係合部、を含む表示機と、内縁、前記内縁から内側に突出し前記第１係合部に係合する第２係合部を含み、前記第１及び第２係合部が係合して前記表示機に組み付けられたカバーと、を備え、前記第２係合部は、前記内縁との間で空間を囲む半リング状のリブであり、前記第１係合部は、前記第２係合部に当接する当接部を含み、前記孔、前記当接部、及び前記空間は、一方向に並んでいる。
【国際調査報告】
2014020697.tif 000013
2014020697.tif 000014
2014020697.tif 000015
2014020697.tif 000016